(57)【要約】【課題】無駄な情報の配信をなくし、情報の配信を柔軟に制御することができるグループ管理システムを提供する。【解決手段】グループ管理システム１００は、関連情報（家族ＩＤ、個人ＩＤ、連絡ルール）を有する携帯電話機と、ゲート３０と、指令センター４０などとを備える。携帯電話機を保持する家族（母親と長男）が来場すると、施設６０のゲート３０で、関連情報が読み取られ、指令センター４０に送信される。同じ家族ＩＤを持つ家族が、同じ施設６０内にいる間や、施設６０から同時に退場する場合には、グループが維持されていると判断され、警告メールの配信は行われない。長男だけが退場すると、グループが維持されていないと判断され、指令センター４０では、母親の連絡ルールに基づいて、母親と長男の携帯電話機に「子供の退出を警告するメール」を自動配信する。母親は、警告メールによって、長男が迷子になっていることを知ることができる。【選択図】図３
2007129505.tif 000002
【特許請求の範囲】
【請求項１】
識別情報を有する複数の情報記録媒体と、
所定のエリアの境界部分に設けられ、前記複数の情報記録媒体が前記所定のエリアに進入する進入時又は退去する退去時に、前記識別情報を読み取る読取部と、
前記進入時に前記読取部が読み取った識別情報をグループとして記憶する記憶部と、
前記退去時に前記読取部が読み取った識別情報と前記記憶部の識別情報とを比較照合し、前記グループが維持されているか否かに基づいて所定の通知を行う通知制御部と、
前記所定の通知を受信する受信部と、
を備えるグループ管理システム。
【請求項２】
請求項１に記載のグループ管理システムにおいて、
前記通知制御部は、前記グループが維持されていない場合に、前記所定の通知を行うこと、
を特徴とするグループ管理システム。
【請求項３】
請求項１又は請求項２に記載のグループ管理システムにおいて、
前記各情報記録媒体は、共通の識別情報及び／又はそれぞれ異なる識別情報を有すること、
を特徴とするグループ管理システム。
【請求項４】
請求項１から請求項３までのいずれか１項に記載のグループ管理システムにおいて、
前記通知制御部は、通知先及び／又は通知可否に関する所定のルールに基づいて所定の通知を行うこと、
を特徴とするグループ管理システム。
【請求項５】
請求項１から請求項４までのいずれか１項に記載のグループ管理システムにおいて、
前記情報記録媒体と前記受信部とは、一体に設けられていること、
を特徴とするグループ管理システム。
【請求項６】
請求項１から請求項５までのいずれか１項に記載のグループ管理システムにおいて、
前記受信部は、前記所定のエリアとは異なるエリアにあること、
を特徴とするグループ管理システム。
【請求項７】
請求項１から請求項６までのいずれか１項に記載のグループ管理システムにおいて、
前記受信部を有し、前記複数の情報記録媒体が前記所定のエリアに進入又は退去するためのゲート部と、
前記受信部が受信した所定の通知がゲートロック指示である場合に、前記ゲート部をロックするゲートロック部とを備えること、
を特徴とするグループ管理システム。
【発明の詳細な説明】
【技術分野】
【０００１】
本発明は、家族やクラブ団体などといったグループを管理するグループ管理システムに関するものである。
【背景技術】
【０００２】
特許文献１は、携帯媒体から識別情報や配信先情報を読み取り、情報を自動配信する情報配信システムを開示している。
特許文献２は、交通手段の利用者にメールを自動送信するメール配信システムを開示している。
特許文献３は、登下校を検知して、保護者に通知する出欠管理及び登下校通知システムを開示している。
特許文献４は、子供などの居場所を時間帯毎に管理する位置管理システムを開示している。
【０００３】
しかし、上述した各特許文献のものは、携帯可能媒体の所有者が単独で移動しているときに位置情報を検出して、設定された配信先に所望の情報を自動配信する仕組みであり、基本的に位置情報のみを配信のトリガーにしている。
そのため、子供が保護者と行動を共にしていて、配信の必要がない状況でも、メールが自動配信されてしまう。
また、子供が危険な地域に行くことを警告するような設定をしていた場合には、両親が同伴していても警告が配信されてしまう。
【特許文献１】特開２００３−２３６６６号公報
【特許文献２】特開２００４−５３８８号公報
【特許文献３】特開２００４−８６３９４号公報
【特許文献４】特開２００４−１８５３２９号公報
【発明の開示】
【発明が解決しようとする課題】
【０００４】
本発明の課題は、無駄な情報の配信をなくし、しかも、情報の配信を柔軟に制御することができるグループ管理システムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、識別情報を有する複数の情報記録媒体（１０）と、所定のエリア（６０）の境界部分に設けられ、前記複数の情報記録媒体（１０）が前記所定のエリア（６０）に進入する進入時又は退去する退去時に、前記識別情報を読み取る読取部（３１）と、前記進入時に前記読取部（３１）が読み取った識別情報をグループとして記憶する記憶部（４１）と、前記退去時に前記読取部（３１）が読み取った識別情報と前記記憶部（４１）の識別情報とを比較照合し、前記グループが維持されているか否かに基づいて所定の通知を行う通知制御部（４４）と、前記所定の通知を受信する受信部と、を備えるグループ管理システムである。
請求項２の発明は、請求項１に記載のグループ管理システムにおいて、前記通知制御部（４４）は、前記グループが維持されていない場合に、前記所定の通知を行うこと、を特徴とするグループ管理システムである。
請求項３の発明は、請求項１又は請求項２に記載のグループ管理システムにおいて、前記各情報記録媒体（１０）は、共通の識別情報及び／又はそれぞれ異なる識別情報を有すること、を特徴とするグループ管理システムである。
請求項４の発明は、請求項１から請求項３までのいずれか１項に記載のグループ管理システムにおいて、前記通知制御部（４４）は、通知先及び／又は通知可否に関する所定のルールに基づいて所定の通知を行うこと、を特徴とするグループ管理システムである。
請求項５の発明は、請求項１から請求項４までのいずれか１項に記載のグループ管理システムにおいて、前記情報記録媒体（１０）と前記受信部とは、一体に設けられていること、を特徴とするグループ管理システムである。
請求項６の発明は、請求項１から請求項５までのいずれか１項に記載のグループ管理システムにおいて、前記受信部は、前記所定のエリア（６０）とは異なるエリアにあること、を特徴とするグループ管理システムである。
請求項７の発明は、請求項１から請求項６までのいずれか１項に記載のグループ管理システムにおいて、前記受信部を有し、前記複数の情報記録媒体（１０）が前記所定のエリア（６０）に進入又は退去するためのゲート部（３０）と、前記受信部が受信した所定の通知がゲートロック指示である場合に、前記ゲート部（３０）をロックするゲートロック部とを備えること、を特徴とするグループ管理システムである。
【発明の効果】
【０００６】
本発明によれば、グループが維持されているか否かに基づいて所定の通知を行うので、情報の配信や通知を柔軟に制御することができる。
また、グループが維持されていない場合に、所定の通知を行うので、情報の配信に無駄がない。
【発明を実施するための最良の形態】
【０００７】
本発明は、無駄な情報の配信をなくし、しかも、情報の配信を柔軟に制御することができるグループ管理システムを提供するという目的を、グループ所属の各個人の所有する情報記録媒体に共通のグループＩＤや個人ＩＤを格納し、その各ＩＤをゲートで読み取り、指令センターでグループとして管理することにより実現する。
【実施例】
【０００８】
以下、図面等を参照して、本発明の実施例について、さらに詳しく説明する。
図１は、本発明によるグループ管理システムの実施例を示す図であり、図２は、家族ＩＤや個人ＩＤ、連絡先、連絡ルールなどの設定状況を示す図である。
本実施例のグループ管理システム１００は、情報記録媒体１０と、ＰＣ２０と、ゲート（ゲート部）３０と、指令センター４０などとを備え、それぞれは、通信回線５０を介して接続されている（後述するＩＣカード１２を除く）。
【０００９】
情報記録媒体１０は、機械読み取り可能なＩＤ（識別情報）を有する携帯可能媒体であり、例えば、携帯電話機１１や、非接触式のＩＣカード１２、無線ＩＣタグなどである。
本実施例では、情報記録媒体１０は、３つあり、母親及び長男が携帯電話機１１を所持しており、長女がＩＣカード１２を所持している。
また、各情報記録媒体１０には、図２に示すように、家族ＩＤ（共通のＩＤ）と、個人ＩＤ（それぞれ異なるＩＤ）と、連絡ルールとが記憶されている。
連絡ルールは、通知先や通知可否に関するルールであり、以下のように設定されている。
（１）母親の連絡ルール１：長男が逸れたら、自分の携帯電話機１１と長男の携帯電話機１１とに、警告メールを送信する。
（２）母親の連絡ルール２：長女が逸れたら、自分の携帯電話機１１に電話をかけ、父親の会社のＰＣ２０に警告メールを送信する。
（３）長男の連絡ルール１：自分が両親から逸れたら、母親の携帯電話機１１に、警告メールを送信する。
【００１０】
図１に示すように、ＰＣ２０は、父親の会社に配置され、メール機能を利用可能なパーソナルコンピュータである。
【００１１】
また、携帯電話機１１及びＰＣ２０は、後述する所定の通知を受信する受信部を備える。
したがって、携帯電話機１１は、情報記録媒体１０の機能と、受信部の機能とが一体化されており、ＰＣ２０の受信部は、後述する施設６０とは異なるエリアにある。
【００１２】
ゲート３０は、遊園地や公園、体育施設、テーマパーク、イベント会場、公園などの施設（所定のエリア）６０の出入口（境界部分）に設けられ、情報記録媒体１０を保持している者が施設６０に入場又は退場するためのものであり、リーダ（読取部）３１と、ゲート制御部３２とを備える。
リーダ３１は、来場者が施設６０に入場するとき又は退場するときに、来場者が保持している情報記録媒体１０の各ＩＤと連絡ルールとを読み取る装置である。
ゲート制御部３２は、ゲート３０全体を制御する部分であり、リーダ３１が読み取った各ＩＤと連絡ルールとを、通信回線５０を介して指令センター４０に送信する。
【００１３】
指令センター４０は、ＩＤ記憶部４１と、ルール記憶部４２と、指令センター制御部４３とを備える。
ＩＤ記憶部４１は、ゲート３０から送信されてきた入場時の家族ＩＤ及び個人ＩＤをグループとして（関連付けて）記憶する部分である。
ルール記憶部４２は、ゲート３０から送信されてきた連絡ルールを記憶する部分である。
【００１４】
指令センター制御部４３は、指令センター４０全体を制御する部分であり、通知制御部４４を備える。
通知制御部４４は、一旦入場した者が退場する際にリーダ３１が読み取ったＩＤと、ＩＤ記憶部４１にグループとして記憶されているＩＤとを比較照合し、グループが維持されているか否かに基づいて、携帯電話機１１やＰＣ２０に、警告メールの配信や携帯電話機１１の呼び出し（所定の通知）を行う部分である。
本実施例では、通知制御部４４は、グループが維持されていない場合に、連絡ルールに基づいて、携帯電話機１１やＰＣ２０に警告メールの配信などを行う。
【００１５】
次に、図３及び図４を参照しながら、グループ管理システム１００の動作を説明する。
図３は、グループ管理システム１００の動作を説明する図であり、図４は、グループ管理システム１００の制御の流れを示すフローチャートであり、グループ管理システム１００は、以下の手順で制御が行われる。
（１）図３（Ａ）に示すように、家族（ここでは、母親と長男）が来場すると、施設６０のゲート３０で、関連情報（家族ＩＤ、個人ＩＤ、連絡ルール）が読み取られ、指令センター４０に送信される［Ｓ１０１、Ｓ１０２］。
（２）図３（Ｂ）に示すように、同じ家族ＩＤを持つ家族が、同じ施設６０内にいる間や、施設６０から同時に退場する場合には、グループが維持されていると判断され、警告メールの配信などは行われない［Ｓ２０１〜Ｓ２０４］。
（３）図３（Ｃ）に示すように、長男だけが退場することをゲート３０のリーダ３１が検知した場合には［Ｓ１０３、Ｓ１０４］、グループが維持されていないと判断され、指令センター４０では、母親の連絡ルール１（図２参照）に基づいて、母親と長男の携帯電話機１１に「子供の退出を警告するメール」を自動配信する［Ｓ２０３〜Ｓ２０５］。
（４）図３（Ｄ）に示すように、母親と長男の携帯電話機１１に警告メールが配信され、母親は長男が迷子になっていることを知ることができる［Ｓ３０１］。
なお、図示していないが、長女も一緒に来場し、その長女が逸れた場合には、母親の連絡ルール２（図２参照）に基づいて、母親の携帯電話機１１が呼び出され、父親のＰＣ２０に「子供の退出を警告するメール」が自動配信される。
【００１６】
このように、本実施例のグループ管理システム１００によれば、以下のような効果がある。
（１）家族が同じ施設６０内にいる場合や、施設６０から同時に退場する場合には警告メールの配信を行わず、家族が逸れた場合にのみ警告メールの配信を行うので、情報の配信に無駄がない。
（２）施設６０の出入口の単なる位置情報だけでなく、関係する保護者や引率者との相対的な位置関係を把握できるので、警告メールの自動配信を柔軟に制御することができる。
【００１７】
（３）情報記録媒体１０から家族ＩＤや連絡ルールなどを読み取ることによって、動的な登録が行えるので、あらかじめエリアごとにＩＤなどを登録しておく必要がない。
（４）施設６０への出入りを動的に監視することによって、お互いに自動的に警告／連絡メッセージなどを送受信することができる。
【００１８】
（５）携帯電話機１１は、情報記録媒体１０の機能と、受信部の機能とが一体化されているので、本システムに最適である。
（６）遠隔地にある父親のＰＣ２０にも、警告メールの配信を行うことができるので、父親は、遠隔地にいながら、グループが維持されているか否かを把握することができる。
【００１９】
（変形例）
以上説明した実施例に限定されることなく、種々の変形や変更が可能であって、それらも本発明の均等の範囲内である。
（１）本実施例では、長男や長女が逸れた場合に、警告メールを配信する例で説明したが、母親だけが先に退場した場合にも、警告メールを配信するようにしてもよい。
（２）グループのうちの誰かが逸れた場合に、警告メールを配信するのではなく、逸れていない場合にも、メールを配信してもよい。このようにすれば、グループの人数が多い場合の点呼確認が容易となる。
【００２０】
（３）子供だけが退場しようとした場合には、指令センター４０がゲート３０にゲートロック指示を送信するようにし、その指示によりゲート３０をロックして子供を退場させないようにするゲートロック部を設けてもよい。
（４）所定のエリアは、施設６０の例で説明したが、例えば、電車やバスなどを所定のエリアとしてもよい。このようにすれば、子供だけで電車やバスに乗る場合には、親に警告メールを送り、親と同伴している場合には警告メールを配信しないような制御を行うことができる。
【００２１】
（５）家族ＩＤだけでなく、別途、所属するクラブ団体のグループＩＤなどを記憶させ、メンバーが施設６０を離れた場合に、同じグループＩＤを持つ引率者に警告メールを配信するようにしてもよい。
（６）情報記録媒体１０は、家族ＩＤ及び個人ＩＤを記憶している例で説明したが、家族ＩＤのみ、又は、個人ＩＤのみ記憶していてもよい。
家族ＩＤのみの場合は、同一の家族ＩＤが何個入場して、何個退場したかを監視することで、グループを管理することができる。
個人ＩＤのみの場合は、入場時の個人ＩＤのセットと、退場時の個人ＩＤのセットとを比較することにより、グループを管理することができる。
【００２２】
（７）情報記録媒体１０は、人が保持している例で説明したが、物に保持させてもよい。例えば、配送荷物にＩＣタグを取り付ければ、積荷の誤りを防止したり、渡し忘れを防止したりすることができ、旅行荷物にＩＣタグを取り付ければ、盗難を防止できる。また、野球チームのバットや用具にＩＣタグを取り付ければ、置き忘れや持ち帰り忘れを防止できる。
【図面の簡単な説明】
【００２３】
【図１】本発明によるグループ管理システムの実施例を示す図である。
【図２】家族ＩＤや個人ＩＤ、連絡先、連絡ルールなどの設定状況を示す図である。
【図３】グループ管理システム１００の動作を説明する図である。
【図４】グループ管理システム１００の制御の流れを示すフローチャートである。
【符号の説明】
【００２４】
１０  情報記録媒体
１１  携帯電話機
１２  ＩＣカード
２０  ＰＣ
３０  ゲート（ゲート部）
３１  リーダ（読取部）
３２  ゲート制御部
４０  指令センター
４１  ＩＤ記憶部
４２  ルール記憶部
４３  指令センター制御部
４４  通知制御部
５０  通信回線
６０  施設（所定のエリア）
１００  グループ管理システム
【図１】
2007129505.tif 000003
【図２】
2007129505.tif 000004
【図３】
2007129505.tif 000005
【図４】
2007129505.tif 000006